(57)【特許請求の範囲】
【請求項１】
遊技盤１に装着されたセンター入賞装置２において、このセンター入賞装置２の後側に、ランプ基板５と、該ランプ基板５のランプ回路に接続されて前向きに発光照射し得る装飾ランプ６とが配置され、
前記センター入賞装置２内に形成された入賞室３Ａの底面部に、受入れたパチンコ球を転がり流路１０Ａに沿って前方向に通出し得る棚板７Ａが設置され、
前記棚板７Ａの前側下部に、該棚板７Ａの前端から転がり落ちたパチンコ球を受け入れてセンター入賞装置２の裏側に通出する球受樋１１Ａが前後方向に設けられ、
前記球受樋１１Ａの前端上部には、前記棚板７Ａの前端前側に臨んで該棚板７Ａから転がり落ちたパチンコ球を受け入れる特別球受口１２Ａが開口され、前記球受樋１１Ａの内部には、前記特別球受口１２Ａから入ったパチンコ球が裏側に通り抜ける特別球通路１３Ａが形成され、
前記棚板７Ａの転がり流路１０Ａの後側部位に、パチンコ球と接触し得る普通接点対２５，２５ａ，２５ｂが設けられる一方、転がり流路１０Ａの前側部位には、前記球受樋１１Ａの特別球受口１２Ａに入るパチンコ球と接触し得る特別接点対２４，２４ａ，２４ｂが設けられており、
前記普通接点対２５，２５ａ，２５ｂと、前記特別接点対２４，２４ａ，２４ｂとの個々に接続されたリード線３１，３２が前記ランプ基板５を介して装飾ランプ６と接続されており、
パチンコ球が前記特別球受口１２Ａに入賞して大当りとなる大当り発生時に特別接点対２４，２４ａ，２４ｂに接触した場合、およびパチンコ球が普通接点対２５，２５ａ，２５ｂに接触した場合のそれぞれに、前記装飾ランプ６によって２通りの装飾態様で発光装飾効果を発揮させて２通りの発光装飾状況を出現させ得るように構成したことを特徴とするパチンコ機における発光装飾装置を備えた入賞装置。
【発明の詳細な説明】
【０００１】
【発明の属する技術分野】
この発明は、パチンコ機において、装飾ランプの発光によって装飾効果を発揮させる発光装飾装置に関する。
【０００２】
【従来の技術】
パチンコ機では、ゲ−ム中に入賞球の発生がカウントスイッチ等によって検出され、装飾ランプの点灯，点滅，効果音等によってその入賞が遊技者に報知される。
【０００３】
【発明が解決しようとする課題】
従って、カウントスイッチ等によって入賞球が検出されると、装飾ランプが必然的に点灯，点滅して装飾ランプの発光による装飾が行われる。
本発明は、装飾ランプを偶発的な態様で発光させて装飾ランプによる発光装飾効果を特異化することを課題とするものである。
【０００４】
【課題を解決するための手段】
請求項１のパチンコ機における発光装飾装置を備えた入賞装置は、遊技盤に装着されたセンター入賞装置において、このセンター入賞装置の後側に、ランプ基板と、該ランプ基板のランプ回路に接続されて前向きに発光照射し得る装飾ランプとが配置され、
前記センター入賞装置内に形成された入賞室の底面部に、受入れたパチンコ球を転がり流路に沿って前方向に通出し得る棚板が設置され、
前記棚板の前側下部に、該棚板の前端から転がり落ちたパチンコ球を受け入れてセンター入賞装置の裏側に通出する球受樋が前後方向に設けられ、
前記球受樋の前端上部には、前記棚板の前端前側に臨んで該棚板から転がり落ちたパチンコ球を受け入れる特別球受口が開口され、前記球受樋の内部には、前記特別球受口から入ったパチンコ球が裏側に通り抜ける特別球通路が形成され、
前記棚板の転がり流路の後側部位に、パチンコ球と接触し得る普通接点対が設けられる一方、転がり流路の前側部位には、前記球受樋の特別球受口に入るパチンコ球と接触し得る特別接点対が設けられており、
前記普通接点対と、前記特別接点対との個々に接続されたリード線が前記ランプ基板を介して装飾ランプと接続されており、
パチンコ球が前記特別球受口に入賞して大当りとなる大当り発生時に特別接点対に接触した場合、およびパチンコ球が普通接点対に接触した場合のそれぞれに、前記装飾ランプによって２通りの装飾態様で発光装飾効果を発揮させて２通りの発光装飾状況を出現させ得るように構成したことを特徴とする。
【０００５】
請求項１のパチンコ機における発光装飾装置では、パチンコ球が転がり流路を不規則な転がり態様で通行する途中で、転がり面に設けた第１の接点と、転がり面上に突出された衝突面、または転がり面に対して起立する壁面に設けた第２接点とを備えた接点対にパチンコ球が偶発的に接触すると、この接点対がパチンコ球によって導通されて装飾ランプ点灯信号を出力し、装飾ランプが点灯して偶発的な発光による発光装飾が行われる。
【００１０】
【発明の実施の形態】
次に、本発明の第１の実施の形態を図１〜図６に従って説明する。
パチンコ機の遊技盤１の中央部付近にはセンタ−入賞装置２がその回りを各種の役物によって取り囲まれた状態で装着されている。
【００１１】
センタ−入賞装置２の内部には入賞したパチンコ球を受入れる入賞室３が形成されている。入賞室３に入賞したパチンコ球は入賞室３の奥部の左右両端部へ導入される。
【００１２】
入賞室３の後端に設置されたレンズ板４の後側にはランプ基板５が立設され、このランプ基板５には、このランプ基板５のランプ回路に接続されてこのランプ回路が閉路したときに照射光がレンズ板４を透過して前方へ照射されるように点灯して入賞室３を背後から装飾する複数個（この実施の形態では上下４対）の装飾ランプ６が取付けられている。
【００１３】
入賞室３の底部後端には、入賞室３の奥部の左右両端部に導入された入賞球が導入端位置から入賞室３内の後端中央部へ誘導されるように凹円弧面状に湾曲した奥誘導面９ａと、この奥誘導面９ａの中央部の前側に隣設されて前下りの円弧面状に凹曲した中誘導面９ｂと、この中誘導面９ｂの両側方に隣接されて側方へ先下り状に凹曲した左右１対の側誘導面９ｃとが上面に形成された後底板９が設置されている。
【００１４】
センタ−入賞装置２の入賞室３内には、その奥部に配設されたキャラクタ部材１７の前側に上下方向への傾動制御可能に設置された棚板７が入賞室３を横切って装入されている。
【００１５】
棚板７はその下方に水平状に設置された底ベ−ス板２１に取付けられた左右１対の支持部材２２と、棚板７の前部下面に突設された左右１対の突片７ａとにそれぞれ貫挿されて水平な軸心を有する１対の支軸８によって傾動動作可能に支持されている。
【００１６】
棚板７の後端縁には、中央部付近がほぼ山形状となって前方へ突出された突縁７ｂが突設されている。
【００１７】
入賞室３内には、入賞室３に入賞したパチンコ球が不規則な転がり態様で通行する転がり流路１０が後底板９上と棚板７上とにわたって形成されている。
【００１８】
棚板７の上面にはパチンコ球が転がる転がり面１５が形成され、棚板７の突縁７ｂの前面には、パチンコ球Ｐが衝突するように転がり面１５上に突出され、パチンコ球Ｐが衝突したときに衝突したパチンコ球Ｐの転がり方向を変向させる衝突面１６が形成されている。
【００１９】
棚板７の前部の斜め下方には、棚板７の前端縁７ｃの前側に開口されて転がり流路１０の下流に配設された特別球受口１２を有し、垂直な軸心を有する支軸によって左右方向への搖動動作可能に支持された球受樋１１が設置されている。  球受樋１１が駆動されて搖動すると、特別球受口１２が左方の移動端と右方の移動端との間を繰返し往復移動する。なお、この駆動機構の具体的な構成としては、同じ出願人の平成１０年３月１６日付出願に係る別出願（特願平１０−６５６０９号）に開示されている。
【００２０】
球受樋１１内には転がり流路１０から特別球受口１２内に転がり落ちたパチンコ球Ｐが通り抜ける特別球通路１３が形成されている。
【００２１】
球受樋口１１の両側方には、転がり流路１０から特別球受口１２の外部へ転り落ちたパチンコ球Ｐが通り抜ける普通球通路１４がそれぞれ形成され、この両普通球通路１４の前端には球入口１４ａがそれぞれ形成されている。
【００２２】
入賞室３に入賞したパチンコ球Ｐは、入賞室３の奥部の左右端部から転がり流路１０へ進入し、転がり流路１０を不規則な転がり態様で通行して特別球受口１２内若しくは球入口１４ａ内に転がり落ち、特別球通路１３若しくは普通球通路１４を通り抜けて入賞室３外へ送り出される。
【００２３】
パチンコ球が特別球受口１２に入賞して特別球通路１３を通り抜けると、大当りとなり、パチンコ球が普通球通路１４を通り抜けると、外れとなる。
【００２４】
後底板９の下方には棚板駆動用のモ−タ１８が設置され、このモ−タ１８の出力軸１８ａにはモ−タ１８によって回転駆動される伝動部材１９が結合されている。
【００２５】
伝動部材１９には、長短の突出長さで半径方向へ突出されて周方向へ配列された第１〜第４羽根片１９ａ，１９ｂ，１９ｃ，１９ｄが形成されている。
【００２６】
棚板７の後部下方には、伝動部材１９の前側に配設され、伝動部材１９の各羽根片１９ａ〜１９ｄによって押動されて搖動し、伝動部材１９の動きを棚板７に伝える搖動部材２０が設置されている。
【００２７】
搖動部材２０は、水平な軸心を有する支軸３０によって上下方向への搖動動作可能に支持され、この搖動部材２０には、支軸３０が挿通された軸受け部２０ａと、この軸受け部２０ａに連接されて前方へ延出され、前端縁が棚板７の後部下面に当接された前ア−ム片２０ｂと、軸受け部２０ａに連接されて伝動部材１９の各羽根片１９ａ〜１９ｄに当接するように後方へ突出された後ア−ム片２０ｃとが形成されている。
【００２８】
モ−タ１８の出力軸１８ａが回転して伝動部材１９が回転駆動されると、搖動部材２０の後ア−ム片２０ｃが伝動部材１９の各羽根片１９ａ〜１９ｄによって繰返し押下げられて搖動部材２０が繰返し搖動し、棚板７が搖動部材２０の前ア−ム片２０ｂによって搖動部材２０の搖動毎に押上げられて繰返し傾動および復帰傾動する。
【００２９】
棚板７の傾動時の傾斜角度は、搖動部材２０の後ア−ム片２０ｃを押下げる伝動部材１９の各羽根片１９ａ〜１９ｄの突出長さによって増減する。
【００３０】
搖動部材２０の後ア−ム片２０ｃが、伝動部材１９の各羽根片１９ａ〜１９ｄのうち、最大の突出長さを有する第１羽根片１９ａによって押下げられると、棚板５は、図６（Ａ）に示すように最大の傾斜角度（例えば５°）で前下り状に傾いた状態となり、転がり面１５上のパチンコ球は比較的速い速度で前方へ転動する。
【００３１】
搖動部材２０の後ア−ム片２０ｃが、第２，第３，第４羽根片１９ｂ，１９ｃ，１９ｄによって押下げられると、棚板７は図６（Ｂ）に示すように、小さい傾斜角度（例えば２°）で前下り状に傾いた状態となり、転がり面１５上のパチンコ球は遅い速度で前方へ転動する。
【００３２】
伝動部材１９の各羽根片１９ａ〜１９ｄが搖動部材２０の後ア−ム片２０ｃから離れた位置に回転すると、図６（Ｃ）に示すように棚板５は一定の傾斜角度（例えば４°）で後下り状に傾いた状態となり、転がり面１５上のパチンコ球は後方へ転動して突縁７ｂに衝突する。
【００３３】
入賞室３内の転がり流路１０には、棚板７の上面の転がり面１５の後端部の一方の側縁付近に埋込み状に設けた第１接点２３ａと、棚板７の突縁７ｂの前面の衝突面１６の一端付近に第１接点２３ａから後方へ若干離れた状態で埋込み状に設けた第２接点２３ｂとを備え、パチンコ球Ｐがその外周面の２点で同時接触したときに導通されて装飾ランプ点灯信号を出力する接点対２３が設置されている。
【００３４】
第１接点２３ａ，第２接点２３ｂはリ−ド線３１によってランプ回路に接続されている。
【００３５】
棚板７が後下り状に傾動した状態でパチンコ球Ｐが転がり流路１０を通行して後方へ転がり、後方へ転がったパチンコ球Ｐが接点対２３の第１接点２３ａおよび第２接点２３ｂに同時に接触すると、第１接点２３ａと第２接点２３ｂとがそのパチンコ球の導電性によって電気的に接続され、接点対２３が導通されて装飾ランプ点灯信号を出力し、ランプ回路が閉路されて各装飾ランプ６が一時的に点灯し、入賞室３が各装飾ランプ６によって発光装飾される。
【００３６】
上記した実施の形態によれば、転がり流路１０を不規則な転がり態様で通行するパチンコ球Ｐによって接点対２３を偶発的に導通させて装飾ランプ６を無作意に点灯させることができ、装飾ランプ６による発光装飾態様を特異化して装飾ランプ６の発光装飾機能を高めることができる。
【００３７】
また、装飾ランプ６が発光装飾効果を発揮する条件を、転がり流路１０中での接点対２３の配置によって多様に変化させ、装飾ランプ６による発光装飾態様を多様化することができる。
【００３８】
さらに、上記した実施の態様では、装飾ランプ６が点灯した時点で棚板７がどのような傾斜姿勢となっているかの情報や、入賞室３内に導入されたパチンコ球が入賞室３内のうちのどの経路を通行しているかの情報を遊技者が察知することができる。
【００３９】
なお、図７に示すように、接点対２３を転がり面１５に設けた第１接点２３ａと、転がり面１５の側縁から立ち上って転がり面１５に対して起立する壁面２９に設けた第２接点２３ｂとによって構成してもよい。
【００４０】
次に、図８，図９に示す本発明の第２の実施の形態について説明すると、入賞室内に傾動制御可能に設置された棚板７Ａ上には、入賞室に入賞したパチンコ球が不規則な転がり態様で転動して通り抜ける転がり流路１０Ａが形成されている。
【００４１】
棚板７Ａの上面には入賞室３Ａに入賞したパチンコ球が転動する転がり面１５Ａが形成され、この転がり面１５Ａには、パチンコ球が衝突するように突出されてパチンコ球Ｐが衝突したときに衝突したパチンコ球の転がり方向を変向させる半球面状の衝突面２７が形成された多数個の半球体状の障害突起２６〜２６が設置されている。
【００４２】
棚板７Ａの前部の斜め下方には、転がり流路１０Ａの中央部から転がり落ちたパチンコ球Ｐを受入れる特別球受口１２Ａが前端に開口された球受樋１１Ａが設置されている。
【００４３】
球受樋１１Ａの内部には特別球通路１３Ａが形成され、球受樋１１Ａの両側には普通球通路１４Ａが形成されている。
【００４４】
なお、上記特別球通路１３Ａは、左右に搖動せずにセンタ−位置に停止している場合と、左右に搖動する場合とが考えられるが、搖動する場合には、左右から搖動してセンタ−位置に戻った所で少しの停止期間を持たせて特別球受口１２Ａに入賞し易く配慮するとよい。
【００４５】
棚板７Ａの上面の転がり面１５Ａの前端の左右方向中央部には、転がり面１５Ａ上の前端中央部から特別球受口１２Ａに向かって転がり落ちるパチンコ球Ｐが接触可能な第１接点２４ａが設置されている。
【００４６】
転がり面１５Ａの前端の左右方向中央部付近で第１接点２４ａの両側には、多数個の障害突起２６のうち、第２接点２４ｂとなる衝突面２７が形成された左右１対の接点用の障害突起２６Ａ，２６Ａが設置されている。
【００４７】
この両障害突起２６Ａは、パチンコ球Ｐが第１接点２４ａと、この両障害突起２６Ａの両衝突面２７のうちの何れか一方の衝突面２７による第２接点２４ｂとに同時に接触すると、そのパチンコ球Ｐがこの両接点対２４ａ，２４ｂを導通させた後特別入賞口１２Ａに転がり落ちるように配設されている。
【００４８】
第１接点２４ａおよび第２接点２４ｂはそれぞれリ−ド線３１によってランプ回路に接続されている。
【００４９】
転がり流路１０Ａの前端中央部には、転がり面１５Ａ上から特別球受口１２Ａに向かって転がり落ちるパチンコ球Ｐによって電気的に接続される第１接点２４ａおよび第２接点２４ｂを１組とする２組の特別接点対２４が第１接点２４ａを共通にした状態で設置されている。
【００５０】
転がり流路１０Ａの前端中央部へ転がったパチンコ球Ｐが特別球受口１２Ａに転がり落ちる前にそのパチンコ球Ｐが特別接点対２４の両接点２４ａ，２４ｂに同時に接触すると、特別接点対２４が導通されて装飾ランプ点灯信号を出力し、例えば入賞室３Ａの背後の全装飾ランプのうちの適数個（例えば半数）の装飾ランプが点灯する。
【００５１】
転がり面１５Ａの中央部の若干後方には、特別球受口１２Ａとの関連性が無い状態で配置されたリング状の第１接点２５ａが埋込み状に設置されている。
【００５２】
転がり面１５Ａの中央部および後部で第１接点２５ａの中央部、および、第１接点２５ａの回りには、第２接点２５ｂとなる衝突面が２７がそれぞれ形成された複数個の接点用の障害突起２６Ｂ〜２６Ｂが設置されている。
【００５３】
第１接点２５ａおよび第２接点２５ｂはそれぞれリ−ド線３２によってランプ回路に接続されている。
【００５４】
転がり流路１０Ａの中央部付近には、特別球受口１２Ａとの関連性が無い状態で配置され、第１接点２５ａおよび第２接点２５ｂを１組とする５組の普通接点対２５が第１接点２５ａを共通にした状態で設置されている。
【００５５】
転がり流路１０Ａの中央部を通行するパチンコ球Ｐが通行途中で普通接点対２５の第１接点２５ａおよび第２接点２５ｂに同時に接触すると、普通接点対２５が導通されて装飾ランプ点灯信号を出力し、例えば、入賞室の背後の全装飾ランプのうち、特別接点対２４の導通時に点灯する装飾ランプ以外の各装飾ランプが点灯する。
【００５６】
なお、普通接点対と特別接点対（または複数の接点対）の一方の接点群（例えばそれぞれの第１接点）を共通接点とすることもできる。
【００５７】
また、図１０に示すように、特別接点２４を、球受樋１１Ａの内壁面で特別球受口１２Ａ内の転がり流路に設けた第１接点２４ａおよび第２接点２４ｂによって構成してもよい。
【００５８】
上記した第２の実施の形態によれば、パチンコ球が入賞室の特別球受口に入賞して大当りとなる大当り発生時にパチンコ球が特別接点対に接触した場合、および、パチンコ球が入賞室内を通行する途中で普通接点対に偶発的に接触した場合に、装飾ランプによって２通りの装飾態様で発光装飾効果を発揮させて２通りの発光装飾状況を出現させることができるので、特別球受口への入賞による大当り情報を報知する機能と、偶発的な発光によって入賞室を装飾する機能とを発光装飾装置に併有させて発光装飾装置の機能を高めることができる。
【００５９】
【発明の効果】
請求項１の発明によれば、転がり流路を不規則な転がり態様で通行するパチンコ球によって接点対を偶発的に導通させて装飾ランプを無作意に点灯させることができ、装飾ランプによる発光装飾態様を特異化して装飾ランプの発光装飾機能を高めることができる。
【００６０】
また、装飾ランプが発光装飾効果を発揮する条件を、転がり流路中での接点対の配置によって多様に変化させ、装飾ランプによる発光装飾態様を多様化することができる。
【００６１】
また、本発明によれば、転がり面でのパチンコ球の転がり態様がより不規則となり、パチンコ球と接点対とが接触する機会がさらに不規則化するので、装飾ランプによる発光装飾効果をさらに高めることができる。
【００６２】
また、本発明によれば、パチンコ球が入賞室の特別球受口に入賞して大当りとなる大当り発生時にパチンコ球が特別接点対に接触した場合、および、パチンコ球が入賞室内を通行する途中で普通接点対に偶発的に接触した場合に、装飾ランプによって２通りの装飾態様で発光装飾効果を発揮させて２通りの発光装飾状況を出現させることができるので、特別球受口への入賞による大当り情報を報知する機能と、偶発的な発光によって入賞室を装飾する機能とを発光装飾装置に併有させて発光装飾装置の機能を高めることができる。
【図面の簡単な説明】
【図１】本発明の第１の実施の形態を示すもので、遊技盤の正面図である。
【図２】転がり流路付近の斜視図である。
【図３】棚板付近の縦断面図である。
【図４】棚板付近の平面図である。
【図５】図４のＸ１−Ｘ１線断面図である。
【図６】棚板の傾動態様を説明する要部の側断面図である。
【図７】接点対の他の実施の形態を示す斜視図である。
【図８】本発明の第２の実施の形態を示すもので、棚板付近の平面図である。
【図９】図８のＸ２−Ｘ２線断面図である。
【図１０】特別接点対の他の実施の形態を示す要部の平面図である。
【符号の説明】
１  遊技盤
２  センタ−入賞装置
３  入賞室
６  装飾ランプ
７，７Ａ  棚板
１０，１０Ａ  転がり流路
１２，１２Ａ  特別球受口
１５，１５Ａ  転がり面
１６，２７  衝突面
２３，２４，２５  接点対
２３ａ，２４ａ，２５ａ  第１接点
２３ｂ，２４ｂ，２５ｂ  第２接点
Ｐ  パチンコ球
【図１】
0004305684.tif 000002
【図２】
0004305684.tif 000003
【図３】
0004305684.tif 000004
【図４】
0004305684.tif 000005
【図５】
0004305684.tif 000006
【図６】
0004305684.tif 000007
【図７】
0004305684.tif 000008
【図８】
0004305684.tif 000009
【図９】
0004305684.tif 000010
【図１０】
0004305684.tif 000011